(57)【要約】    【課題】コントローラ用操作パネルを常に手元に置いて用紙のセッティング等の作業を行うことができるようにする。    【解決手段】機体１の横幅方向に記録ヘッド走行用のレールが長く伸びて配置され該レールの略全長にわたって該レールの下方にプラテン３が配置されている。プラテン３上に用紙が導かれ、該用紙に記録ヘッドで印字が行われる。レールに沿って設けられたパネルガイド１０には、コントローラ用の操作パネル１１が移動可能に取り付けられている。【選択図】図１
2005212320.tif 000002
【特許請求の範囲】
【請求項１】
機体の横幅方向に記録ヘッド走行用のレールが長く伸びて配置され該レールの略全長にわたって該レールの下方にプラテンが配置され該プラテン上に用紙を導き該用紙に記録ヘッドで印字を行うようにした記録装置において、コントローラ用の操作パネルを前記機体の適所に移動可能に取り付けたことを特徴とする記録装置。
【請求項２】
前記操作パネルは、機体の所定の位置に固定配置されたメイン操作パネルとは別個に設けたサブ操作パネルであることを特徴とする請求項１に記載の記録装置。
【請求項３】
前記機体にその横幅方向に沿って伸びるパネルガイドを設け、該パネルガイドに移動自在に前記操作パネルを取り付けたことを特徴とする請求項１又は請求項２に記載の記録装置。
【請求項４】
前記機体の適所に前記操作パネルを脱着可能に取り付け、該操作パネルを前記機体に対して移動可能としたことを特徴とする請求項１又は請求項２に記載の記録装置。
【請求項５】
前記パネルガイドにモータに連係するキャリッジを移動可能に取り付け、該キャリッジに前記操作パネルを連結し、前記機体に設けたスイッチにより前記モータを正逆方向に駆動可能とし、前記操作パネルを前記パネルガイドの任意の位置に移動し得るようにしたことを特徴とする請求項３に記載の記録装置。
【発明の詳細な説明】
【技術分野】
【０００１】
本発明は、機体の横幅方向に記録ヘッド走行用のレールが長く伸びて配置されている構造の大型インクジェットプリンタ・プロッタなどの記録装置に関する。
【背景技術】
【０００２】
従来、画像形成装置において、台座に支持アームを介して操作パネルを支持し、台座を装置本体に固定せず、装置本体の上面右側前方、左側後方等の平面部に移動可能としたものが知られている（例えば特許文献１参照）。
【特許文献１】特開２００２−０９１１０４号公報（第１ページ、第１図）
【発明の開示】
【発明が解決しようとする課題】
【０００３】
機体の横幅方向に長いＹレールを備え、このＹレールの下方のプラテン上に用紙を導く構成の大型のプリンタ・プロッタでは、プラテンの横長手方向のサイズが２メートルを超えるものがある。このような大型のプリンタ・プロッタでは、通常、コントローラへの各種設定や各種操作を行うためのコントローラ用操作パネルは、機体の側部に固定的に設けられている。そのため、用紙のセッティングなどにおいて、操作パネルに手が届かないで困ることがある。
本発明は上記問題点を解決することを目的とするものである。
【課題を解決するための手段】
【０００４】
上記目的を達成するため本発明は、機体の横幅方向に記録ヘッド走行用のレールが長く伸びて配置され該レールの略全長にわたって該レールの下方にプラテンが配置され該プラテン上に用紙を導き該用紙に記録ヘッドで印字を行うようにした記録装置において、コントローラ用の操作パネルを前記機体の適所に移動可能に取り付けたものである。
また本発明は、前記操作パネルは、機体の所定の位置に固定配置されたメイン操作パネルとは別個に設けたサブ操作パネルであることを特徴とするものである。
また本発明は、前記機体にその横幅方向に沿って伸びるパネルガイドを設け、該パネルガイドに移動自在に前記操作パネルを取り付けたものである。
また本発明は、前記機体の適所に前記操作パネルを脱着可能に取り付け、該操作パネルを前記機体に対して移動可能としたものである。
また本発明は、前記パネルガイドにモータに連係するキャリッジを移動可能に取り付け、該キャリッジに前記操作パネルを連結し、前記機体に設けたスイッチにより前記モータを正逆方向に駆動可能とし、前記操作パネルを前記パネルガイドの任意の位置に移動し得るようにしたものである。
【発明の効果】
【０００５】
本発明は、記録装置のどの場所でも手元に操作パネルを移動できるので、その操作をきわめて容易に行うことができる。また、用紙のセッティングなども機体の真ん中で行うことができるので一人での作業が可能となる。
【発明を実施するための最良の形態】
【０００６】
以下に本発明の構成を添付した図面を参照して詳細に説明する。
図1において、符号１は大型インクジェットプリンタ・プロッタから成る記録装置であり、一対の脚台８，９上にそれぞれ脚体６，７が立設され、該脚体６，７に機体２が支持されている。機体２にはコントローラ（図示省略）が内蔵されている。機体２の両側部２ａ，２ｂ間に、Ｙレール（図示省略）が架設され該Ｙレールにインクジェット記録ヘッドが移動可能に取り付けられている。
【０００７】
前記Ｙレールの下方にはプラテン３が配置され、該プラテン３上にロール紙の引き出し部が配置されている。前記プラテン上の用紙は駆動ローラとピンチローラとからなるグリップ部により挟持され、駆動ローラの回転によりＹレールと直角なＸ軸方向に搬送されるように構成されている。前記プラテン上の用紙には、前記記録ヘッドにより印字が行われる。前記記録ヘッド、Ｙレール及びグリップ部等は印字部を構成し、該印字部は、開閉可能なカバー５により覆われている。
【０００８】
各脚体６，７の基台８，９の後方には、ロール紙（図示省略）が回転自在に支持され、該ロール紙は、基台８，９の後方から印字部を経て、基台８，９の前方に配置された巻き取りスクローラ４に巻き取られるように構成されている。前記機体２には、その左右の長手方向に沿ってパネルガイド１０が設けられ、これの長手方向全長にわたって形成されたガイド溝（図示省略）にキャリッジ（図示省略）がスライド自在に取り付けられている。
【０００９】
前記キャリッジにはコントローラの各種操作及び各種設定を行うための操作パネル１１が連結している。前記操作パネル１１は、これの左右の移動を妨げないように、フレキシブルなコードを介してコントローラに接続している。
上記した構成において、操作者はロール紙のセッティング作業等において、操作パネル１１をパネルガイド１０に沿って移動し、手元に位置させることができる。
【００１０】
次に図２を参照して本発明の他の実施形態について説明する。
１２，１３はベルトプーリであり、パネルガイド１０の両端近傍に回転自在に支持され、該ベルトプーリ１２，１３間に無端ベルト１４が掛け渡されている。前記一対のベルトプーリ１２，１３の中、一方のプーリ１３は機体に内蔵されたモータ（図示省略）に連結している。
【００１１】
１５，１６は、前記カバー５の適所に取り付けられたモータ操作スイッチボタンであり、前記モータを正逆方向にオンオフ操作し得るように構成されている。パネルガイド１０にキャリッジを介してスライド自在に取り付けられた操作パネル１１は、前記無端ベルト１４の直線部分に連結している。また、前記操作パネル１１は、該パネル１１の左右方向の移動を妨げないようにフレキシブルなコードを介して前記コントローラに接続している。
【００１２】
上記した構成において、操作者はスイッチボタン１５又は１６を操作して、プーリ１３を正逆方向に回転させることにより、操作パネル１１を、機体２の両側部２ａ，２ｂ間で、機体２の正面側の任意の位置に移動させることができる。上記実施形態では、コントローラの操作パネル１１をＹレールに平行なパネルガイドに沿ってスライド自在とし、機体正面の任意の位置に移動可能となるように取り付けた構成を採用したが、操作パネルを操作者の手元に移動できる構成であれば良く、特にパネルガイドに沿って移動できる構成に限定されるものではない。
【００１３】
また、図２に示すように、機体２の適所にコントローラ用のメイン操作パネル１５を固定配置し、このメイン操作パネル１５とは別に、補助用として、サブ操作パネル１１を設け、このサブ操作パネル１１を、パネルガイド１０に移動可能に取り付けた構成としても良い。また、図３に示すように、操作パネル１１を、機体２の所定位置に脱着可能に取り付け、操作パネル１１とコントローラとを長いコード１６で接続し、操作パネル１１を機体２の正面の任意の位置に移動可能な構成としても良い。
【００１４】
また、この場合、操作パネル１１をサブ操作パネルとし、メイン操作パネルを機体２の適所に固定配置した構成としても良い。また、図４に示すように、脱着可能な操作パネル１１をコードレス即ち無線でコントローラに接続するようにしてもよい。また、この実施形態でも、操作パネル１１をサブ操作パネルとし、メイン操作パネルを機体２の適所に固定配置した構成としても良い。
【図面の簡単な説明】
【００１５】
【図１】記録装置の全体正面図である。
【図２】本発明の他の実施形態を示す記録装置の全体正面図である。
【図３】本発明の他の実施形態を示す記録装置の全体正面図である。
【図４】本発明の他の実施形態を示す記録装置の全体正面図である。
【符号の説明】
【００１６】
１      記録装置
２      機体
３      プラテン
４      巻き取りスクローラ
５      カバー
６      脚体
７      脚体
８      基台
９      基台
１０    パネルガイド
１１    操作パネル
１２    ベルトプーリ
１３    ベルトプーリ
１４    無端ベルト
１５    メイン操作パネル
１６    コード
【図１】
2005212320.tif 000003
【図２】
2005212320.tif 000004
【図３】
2005212320.tif 000005
【図４】
2005212320.tif 000006